(57)【要約】【課題】離れて設置されたテレビ間で複数の映像と音声及びリモコン信号を相互に伝送するテレビワイヤレス伝送システムを提供する。【解決手段】テレビ受信装置１０１及び１０２においてビデオプロセッサ１１１にて生成された複数の映像を持つコンポジットビデオ信号、音声信号及びリモコン信号をＲＦ変調して送信する無線送信部１０６と送信された無線信号を受信しコンポジットビデオ信号、音声信号及びリモコン信号を復調する無線受信部１０７を備える。これによりテレビ間で相互に映像、音声をワイヤレスに通信することができ、一つのテレビ単体では受信不可能な放送をテレビに表示されることができる。【選択図】  図１
2004356830.tif 000002
【特許請求の範囲】
【請求項１】
無線通信手段を備えたテレビジョン放送受信装置を備えたシステムであって、映像信号、音声信号及びリモコンより受信したリモコン信号を無線信号に変調して送信する無線送信手段と、他の無線通信手段を備えたテレビジョン放送受信装置からの無線信号を受信して映像信号、音声信号及びリモコン信号に復調する無線受信手段と、屋外の電波より受信した映像信号及びテレビの外部接続機器からの映像信号及び無線受信手段からの映像信号を合成して表示させるビデオプロセッサと、屋外の電波より受信した音声信号及びテレビの外部接続機器からの音声信号及び他のテレビジョン放送受信装置からの音声信号から１つを選択するための音声切り換え手段を備えることを特徴とするテレビワイヤレス送受信システム。
【発明の詳細な説明】
【０００１】
【発明の属する技術分野】
本発明はテレビの映像、音声及びリモコン信号をワイヤレスに送受信するシステムに関するものである。
【０００２】
【従来の技術】
従来のテレビ信号の伝送システムは屋内の壁面にあるアンテナ端子近傍に送信ユニットを備え、その送信ユニットから無線伝送されるテレビ信号を離れた場所の受信ユニットにて受信しそれをテレビに接続することによってテレビの設置の自由度を上げることを目的としたシステムであった。（例えば、特許文献１参照）
【０００３】
【特許文献１】
特開２００２―１５８９３５号公報
【０００４】
【発明が解決しようとする課題】
今後テレビ放送のデジタル化が進むことによって例えばＢＳデジタル放送受信テレビや地上波デジタル放送受信テレビといった受信機能の異なるテレビが登場すると考えられ、その際、一つのテレビで他のテレビのみで受信可能な番組を見たいと言う要望があると考えられる。またテレビの大型化が進むことによって、一画面に複数のテレビ番組を表示したいという要望が大きくなると予想される。しかしながら従来の技術ではあくまでアンテナ信号を再変調して受信装置に伝送するだけであり、また一つの番組しか無線伝送することができない。
【０００５】
【課題を解決するための手段】
前記従来の課題を解決するために本発明のテレビワイヤレス送受信システムは、無線通信手段を備えたテレビジョン放送受信装置を備えたシステムであって、映像信号、音声信号及びリモコンより受信したリモコン信号を無線信号に変調して送信する無線送信手段と、他の無線通信手段を備えたテレビジョン放送受信装置からの無線信号を受信して映像信号、音声信号及びリモコン信号に復調する無線受信手段と、屋外の電波より受信した映像信号及びテレビの外部接続機器からの映像信号及び無線受信手段からの映像信号を合成して表示させるビデオプロセッサと、屋外の電波より受信した音声信号及びテレビの外部接続機器からの音声信号及び他のテレビジョン放送受信装置からの音声信号から１つを選択するための音声切り換え手段を備えたものであり、ある一つの番組の映像と音声を送信するのではなく、複数の映像を合成するビデオプロセッサを備え、その合成された画像を伝送することにより受信側のテレビにて仮想的に複数の映像を表示することが可能となる。
【０００６】
【発明の実施の形態】
以下本発明の実施の形態について、図面を参照しながら説明する。
【０００７】
図１は、テレビワイヤレス送受信システムの構成を示している。テレビ受信装置１０１はＢＳデジタル放送及び地上波デジタル放送を受信可能であり、屋外に設置されたＢＳデジタルアンテナ１０３及び地上波アンテナ１０４が接続されている。また外部接続機器１０５がＡＶ入力端子経由で接続されており外部機器にて再生された映像及び音声をテレビ受信装置１０１にて視聴可能である。テレビ受信装置１０２はデジタル地上波放送を受信できるテレビ受信装置であって地上波アンテナ１０４にて受信した番組を視聴可能である。テレビ受信装置１０１、１０２ともに自身で受信した映像、音声及びリモコン信号を無線送信部１０６にて送信することができ、また送られてきた無線信号を無線受信部１０７にて受信し、ビデオプロセッサ１１１にて自身のテレビ映像と無線通信にて受信した映像を合成して表示することができる。図１ではテレビ受信装置１０１のＢＳデジタル受信映像Ａと外部機器の映像Ｂ及び無線通信によって受信したテレビ受信装置１０２のデジタル地上波放送の映像Ｃが表示されている様子を示している。テレビ受信装置１０２においても同様にテレビ受信装置１０１からの無線信号を受信することにより自身では受信不可能なＢＳデジタル信号及び外部機器の映像及び音声を視聴することができる。
【０００８】
図２は、テレビ受信装置１０１の詳細な構成を示している。テレビ受信装置１０２も無線送受信部についてはテレビ受信装置１０１と同様の構成であるため、テレビ受信装置１０１のみを用いて説明する。ＢＳデジタルアンテナ１０３にて受信した信号はＢＳデジタルチューナー部１０８にて所望のチャンネルが選局されシステムＬＳＩ１０９にて映像と音声が復調される。同様に地上波アンテナ１０４にて受信した信号はデジタル地上波チューナー部１１０にて所望のチャンネルが選局されシステムＬＳＩ１０９にて映像と音声が復調される。システムＬＳＩ１０９にて復調された映像信号２０１はビデオプロセッサ１１１に入力され、外部接続機器１０５からの映像信号２０２や無線受信部１０７にて受信した映像信号２０３とを切換もしくは合成してＣＲＴといった表示装置１１２に出力しテレビ受信装置１０１の映像として表示することができる。システムＬＳＩ１０９にて復調された音声信号２０４は音声切換回路１１３に入力され、外部接続機器１０５からの音声信号２０５や無線受信部１０７にて受信した音声信号２０６とを切り換えてスピーカー１１４へ出力し、テレビ受信装置１０１の音声として出力することができる。リモコン受信部１１５はテレビ受信装置１０１を制御するためのリモコン信号２０７をシステムＬＳＩ１０９に出力し、またテレビ受信装置１０２を制御するためにテレビ受信装置１０２用のリモコン信号を無線送信部１０６へ出力する。
【０００９】
無線送信部１０６はビデオプロセッサ１１１からの映像信号２０８、音声切換回路からの音声信号２０９及びリモコン受信部１１５からのリモコン信号２１０を受信し所定のＲＦ周波数に変調、変換し送信アンテナ１１６より電波として送信される。なお、変調したＲＦ信号の出力周波数はテレビ受信装置毎に設定でき、送受信による混信を避けることができる。一方受信機側ではテレビ受信装置１０２の送信アンテナ１１６にて送信されている電波を受信アンテナ１１７にて受信し、無線受信部１０７にて映像、音声及びリモコン信号が復調される。無線受信部１０７にて復調されたリモコン信号２１３はシステムＬＳＩ１０９へ出力され所望の制御が行われる。また、このリモコン信号が外部接続機器１０５のものであった場合はシステムＬＳＩ１０９を経由しリモコン信号発生器１１９よりリモコン信号が送られ外部接続機器１０５を制御することが可能である。
【００１０】
なお、本実施の形態において１対１の送受信システムとして説明したが、１対ｎの送受信システムであっても良いものとし、またテレビ受信装置１０１はＢＳデジタルおよび地上波デジタル受信装置とし、テレビ受信装置１０２は地上波デジタル放送受信装置としたがこれに限定するものではなく、例えばＣＳデジタル受信装置であったり、さらに多くの放送を受信できるものであったりしてもよいものとする。また、映像表示においては図１において３つの映像を同時に表示しているが、これに限定するものではなくさらに多くの映像を同時に表示しても良いものとする。
【００１１】
【発明の効果】
以上のように、本発明のテレビ信号ワイヤレス送受信システムによれば、例えばＢＳデジタル放送の受信回路を持たないテレビ受信装置にてＢＳデジタル放送を簡易的に受信することができるだけでなく、複数の番組を一つのテレビ画面に表示させることができる。
【図面の簡単な説明】
【図１】テレビ信号ワイヤレス送受信システムの模式図
【図２】テレビ信号ワイヤレス送受信システムの詳細図
【符号の説明】
１０１  テレビ信号ワイヤレス送受信システムを内蔵したテレビ受信装置
１０２  テレビ信号ワイヤレス送受信システムを内蔵したテレビ受信装置
１０３  ＢＳデジタルアンテナ
１０４  地上波アンテナ
１０５  外部接続機器
１０６  無線送信部
１０７  無線受信部
１０８  ＢＳデジタルチューナー部
１０９  システムＬＳＩ（復調部／ＣＰＵ）
１１０  地上波デジタルチューナー部
１１１  ビデオプロセッサ
１１２  表示装置
１１３  音声切換回路
１１４  スピーカー
１１５  リモコン受信部
１１６  無線送信用アンテナ
１１７  無線受信用アンテナ
１１８  テレビ受信装置１０１で受信したＢＳデジタル番組映像
１１９  外部接続機器１０５で再生された映像
１２０  テレビ受信装置１０２で受信された地上波デジタル番組映像
２０１  システムＬＳＩ１０９にて復調されたコンポジットビデオ信号
２０２  外部接続機器１０５にて再生されたコンポジットビデオ信号
２０３  無線伝送され、無線受信部１０７にて復調されたコンポジットビデオ信号
２０４  システムＬＳＩ１０９にて復調された音声信号
２０５  外部接続機器１０５にて再生された音声信号
２０６  無線伝送され、無線受信部１０７にて復調された音声信号
２０７  リモコン受信部１１５にて受信したテレビ受信装置１０１の制御用リモコン信号
２０８  ビデオプロセッサ１１１にて合成され、無線送信部１０６にて無線送信されるコンポジットビデオ信号
２０９  音声切換回路１１３より出力され、無線送信部１０６にて無線送信される音声信号
２１０  テレビ受信装置１０２を制御するためのリモコン信号
【図１】
2004356830.tif 000003
【図２】
2004356830.tif 000004